(57)【要約】【課題】配線パターンの抵抗値のバラツキ等を適切に評価することができ、配線パターンの導通検査の適切な判定基準値を決定することができる基板検査装置等を提供する。【解決手段】この基板検査装置１は、複数の配線パターンがそれぞれ形成された複数の単位基板が連なってなるシート基板に対し、シート基板内の単位基板の配線パターンの導通性に関する評価を行う。抵抗測定部１７は、第１及び第２検査治具１３，１４を介して配線パターン上に設定された２つの測定位置間の抵抗値を測定する。制御部１１の測定抵抗値評価部１１３は、評価単位シート基板を評価単位として設定された各配線パターンの基準抵抗値を基準として、抵抗測定部１７によって測定された評価単位シート基板内の各単位基板の各配線パターンの測定抵抗値のずれ度合いを算出する。【選択図】図１
2013024582.tif 000002
【特許請求の範囲】
【請求項１】
複数の配線パターンがそれぞれ形成された複数の単位基板が連なってなるシート基板に対し、前記シート基板内の前記単位基板の前記配線パターンの導通性に関する評価を行う基板検査装置において、
前記シート基板を保持する基板保持機構と、
前記基板保持機構によって保持された前記シート基板内の少なくとも１つの前記単位基板の前記配線パターン上に設定された２つの測定位置にそれぞれ接触される複数のプローブを有するプローブユニットと、
前記プローブユニットの前記プローブを介して前記配線パターン上に設定された前記２つの測定位置間の抵抗値を測定する抵抗測定部と、
所定の基準抵抗値を基準として、前記抵抗測定部によって測定された所定の評価単位シート基板内の前記各単位基板の前記各配線パターンの測定抵抗値のずれ度合いを算出する測定抵抗値評価部と、
を備えることを特徴とする基板検査装置。
【請求項２】
請求項１に記載の基板検査装置において、
前記測定抵抗値評価部は、前記各配線パターンの測定抵抗値の前記ずれ度合いの算出結果に基づき、前記評価単位シート基板内の各位置における前記配線パターンの前記測定抵抗値の前記ずれ度合いを検出することを特徴とする基板検査装置。
【請求項３】
請求項２に記載の基板検査装置において、
前記測定抵抗値評価部は、前記評価単位シート基板内の各位置における前記配線パターンの前記測定抵抗値の前記ずれ度合いを、前記前記評価単位シート基板内の前記各位置の座標情報と関連付けて検出することを特徴とする基板検査装置。
【請求項４】
請求項２に記載の基板検査装置において、
前記測定抵抗値評価部は、前記評価単位シート基板内における前記各単位基板内の前記配線パターンの前記測定抵抗値のずれ度合いを算出し、該単位基板の前記評価単位シート基板内での位置情報と関連付けることを特徴とする基板検査装置。
【請求項５】
請求項２ないし請求項４のいずれかに記載の基板検査装置において、
前記測定抵抗値評価部は、検出した前記評価単位シート基板内の各位置における前記配線パターンの前記測定抵抗値の前記ずれ度合いを所定の表示部に図式的に表示させることを特徴とする基板検査装置。
【請求項６】
請求項１ないし請求項５のいずれかに記載の基板検査装置において、
前記抵抗測定部が測定した前記評価単位シート基板内の前記各配線パターンの前記測定抵抗値、前記測定抵抗値の平均値である平均抵抗値、及び前記測定抵抗値評価部が算出した前記評価単位シート基板内の前記各配線パターンの前記測定抵抗値のずれ度合いのうちの少なくともいずれか１つに基づいて、前記各配線パターンの導通性に関する判定基準値を決定し、前記各配線パターンの前記測定抵抗値と前記判定基準値とを比較することにより前記評価単位シート基板内の前記各配線パターンの良否判定を行う導通判定部をさらに備えることを特徴とする基板検査装置。
【請求項７】
請求項１ないし請求項６のいずれかに記載の基板検査装置において、
前記測定抵抗値評価部は、前記評価単位シート基板内の前記単位基板の前記各配線パターンの前記測定抵抗値を平均し、その結果得られる平均測定抵抗値を前記基準抵抗値として用いることを特徴とする基板検査装置。
【請求項８】
請求項７に記載の基板検査装置において、
前記測定抵抗値評価部は、前記測定抵抗値の前記ずれ度合いとして、前記平均測定抵抗値を基準とした偏差、偏差値又は標準偏差を算出することを特徴とする基板検査装置。
【請求項９】
請求項１ないし請求項６のいずれかに記載の基板検査装置において、
前記測定抵抗値評価部が用いる前記基準抵抗値は、前記評価単位シート基板内における前記単位基板の前記各配線パターンの抵抗値の設計理論値であることを特徴とする基板検査装置。
【請求項１０】
請求項１ないし請求項７及び請求項９のいずれかに記載の基板検査装置において、
前記測定抵抗値評価部は、前記測定抵抗値の前記ずれ度合いとして、前記測定抵抗値と前記基準抵抗値との差を算出することを特徴とする基板検査装置。
【請求項１１】
請求項１ないし請求項１０のいずれかに記載の基板検査装置において、
前記端子ユニットの前記プローブは、前記シート基板内の少なくとも１つの前記単位基板の前記配線パターン上に設定された前記各測定位置ごとに２つずつ設けられ、その２つのプローブのうちの一方が前記配線パターンへの検査用の電流の供給のために用いられ、他方が前記配線パターンの前記測定位置間の電位差の測定のために用いられることを特徴とする基板検査装置。
【請求項１２】
複数の配線パターンがそれぞれ形成された複数の単位基板が連なってなるシート基板に対し、前記シート基板内の前記単位基板の前記配線パターンの導通性に関する評価を行う基板検査方法において、
基板保持機構によって前記シート基板を保持させ、保持された前記シート基板内の少なくとも１つの前記単位基板の前記配線パターン上に設定された２つの測定位置にプローブを接触させ、前記配線パターンの前記測定位置間の抵抗値を前記プローブを介して測定する測定段階と、
所定の基準抵抗値を基準として、前記測定段階で測定された所定の評価単位シート基板内の前記各単位基板の前記各配線パターンの測定抵抗値のずれ度合いを算出するずれ度算出段階と、
を備えることを特徴とする基板検査方法。
【発明の詳細な説明】
【技術分野】
【０００１】
本発明は、基板に形成された配線パターンの導通性に関する評価を行う基板検査装置及び基板検査方法に関する。
【背景技術】
【０００２】
基板に形成された配線パターンの導通検査では、配線パターン上に設定された２つの測定位置間の抵抗値を測定し、その測定結果に基づいて良否判定が行われる。この配線パターンの抵抗値の測定には、測定値の精度向上のため、公知の４端子測定法を用いることが提案されている（特許文献１参照）。
【先行技術文献】
【特許文献】
【０００３】
【特許文献１】特開平１０−１２３１８９号公報
【発明の概要】
【発明が解決しようとする課題】
【０００４】
一方、近年、微細化の進行に伴って配線パターンの幅が狭くなり、配線パターンの幅（又は、厚み）のバラツキが配線パターンの抵抗値に及ぼす影響が大きくなっている。そのため、配線パターンの抵抗値のバラツキが大きく、上述のように配線パターンの抵抗値が高精度に測定された場合には、良判定であっても判定基準値から離れたものが多数存在した。これは、判定基準値が設計（理論）基準値を基に設定されているため、製造工程における配線パターンの幅や厚みのバラツキの影響を考慮することができないためであった。このようなことから、４端子測定法を用いて配線パターンの抵抗値を精度良く測定することができても、その判定基準値自体が有効に設定されていない場合がある。
【０００５】
そこで、本発明の解決すべき課題は、配線パターンの抵抗値のバラツキ等を適切に評価することができ、配線パターンの導通検査の適切な判定基準値を決定することができる基板検査装置及び基板検査方法を提供することである。
【課題を解決するための手段】
【０００６】
上記の課題を解決するため、この発明の基板検査装置に関する第１の局面では、複数の配線パターンがそれぞれ形成された複数の単位基板が連なってなるシート基板に対し、前記シート基板内の前記単位基板の前記配線パターンの導通性に関する評価を行う基板検査装置において、前記シート基板を保持する基板保持機構と、前記基板保持機構によって保持された前記シート基板内の少なくとも１つの前記単位基板の前記配線パターン上に設定された２つの測定位置にそれぞれ接触される複数のプローブを有するプローブユニットと、前記プローブユニットの前記プローブを介して前記配線パターン上に設定された前記２つの測定位置間の抵抗値を測定する抵抗測定部と、所定の基準抵抗値を基準として、前記抵抗測定部によって測定された所定の評価単位シート基板内の前記各単位基板の前記各配線パターンの測定抵抗値のずれ度合いを算出する測定抵抗値評価部と、を備える。
【０００７】
また、この発明の基板検査装置に関する第２の局面では、上記第１の局面に係る基板検査装置において、前記測定抵抗値評価部は、前記各配線パターンの測定抵抗値の前記ずれ度合いの算出結果に基づき、前記評価単位シート基板内の各位置における前記配線パターンの前記測定抵抗値の前記ずれ度合いを検出する。
【０００８】
また、この発明の基板検査装置に関する第３の局面では、上記第２の局面に係る基板検査装置において、前記測定抵抗値評価部は、前記評価単位シート基板内の各位置における前記配線パターンの前記測定抵抗値の前記ずれ度合いを、前記前記評価単位シート基板内の前記各位置の座標情報と関連付けて検出する。
【０００９】
また、この発明の基板検査装置に関する第４の局面では、上記第２の局面に係る基板検査装置において、前記測定抵抗値評価部は、前記評価単位シート基板内における前記各単位基板内の前記配線パターンの前記測定抵抗値のずれ度合いを算出し、該単位基板の前記評価単位シート基板内での位置情報と関連付ける。
【００１０】
また、この発明の基板検査装置に関する第５の局面では、上記第２ないし第４のいずれかの局面に係る基板検査装置において、前記測定抵抗値評価部は、検出した前記評価単位シート基板内の各位置における前記配線パターンの前記測定抵抗値の前記ずれ度合いを所定の表示部に図式的に表示させる。
【００１１】
また、この発明の基板検査装置に関する第６の局面では、上記第１ないし第５のいずれかの局面に係る基板検査装置において、前記抵抗測定部が測定した前記評価単位シート基板内の前記各配線パターンの前記測定抵抗値、前記測定抵抗値の平均値である平均抵抗値、及び前記測定抵抗値評価部が算出した前記評価単位シート基板内の前記各配線パターンの前記測定抵抗値のずれ度合いのうちの少なくともいずれか１つに基づいて、前記各配線パターンの導通性に関する判定基準値を決定し、前記各配線パターンの前記測定抵抗値と前記判定基準値とを比較することにより前記評価単位シート基板内の前記各配線パターンの良否判定を行う導通判定部をさらに備える。
【００１２】
また、この発明の基板検査装置に関する第７の局面では、上記第１ないし第６のいずれかの局面に係る基板検査装置において、前記測定抵抗値評価部は、前記評価単位シート基板内の前記単位基板の前記各配線パターンの前記測定抵抗値を平均し、その結果得られる平均測定抵抗値を前記基準抵抗値として用いる。
【００１３】
また、この発明の基板検査装置に関する第８の局面では、上記第７の局面に係る基板検査装置において、前記測定抵抗値評価部は、前記測定抵抗値の前記ずれ度合いとして、前記平均測定抵抗値を基準とした偏差、偏差値又は標準偏差を算出する。
【００１４】
また、この発明の基板検査装置に関する第９の局面では、上記第１ないし第６のいずれかの局面に係る基板検査装置において、前記測定抵抗値評価部が用いる前記基準抵抗値は、前記評価単位シート基板内における前記単位基板の前記各配線パターンの抵抗値の設計理論値である。
【００１５】
また、この発明の基板検査装置に関する第１０の局面では、上記第１ないし第７及び第９のいずれかの局面に係る基板検査装置において、前記測定抵抗値評価部は、前記測定抵抗値の前記ずれ度合いとして、前記測定抵抗値と前記基準抵抗値との差を算出する。
【００１６】
また、この発明の基板検査装置に関する第１１の局面では、上記第１ないし第１０のいずれかの局面に係る基板検査装置において、前記端子ユニットの前記プローブは、前記シート基板内の少なくとも１つの前記単位基板の前記配線パターン上に設定された前記各測定位置ごとに２つずつ設けられ、その２つのプローブのうちの一方が前記配線パターンへの検査用の電流の供給のために用いられ、他方が前記配線パターンの前記測定位置間の電位差の測定のために用いられる。
【００１７】
また、この発明の基板検査方法に関する第１の局面では、複数の配線パターンがそれぞれ形成された複数の単位基板が連なってなるシート基板に対し、前記シート基板内の前記単位基板の前記配線パターンの導通性に関する評価を行う基板検査方法において、基板保持機構によって前記シート基板を保持させ、保持された前記シート基板内の少なくとも１つの前記単位基板の前記配線パターン上に設定された２つの測定位置にプローブを接触させ、前記配線パターンの前記測定位置間の抵抗値を前記プローブを介して測定する測定段階と、所定の基準抵抗値を基準として、前記測定段階で測定された所定の評価単位シート基板内の前記各単位基板の前記各配線パターンの測定抵抗値のずれ度合いを算出するずれ度算出段階と、を備える。
【発明の効果】
【００１８】
基板検査装置及び基板検査方法の上記第１の局面によれば、評価単位となる評価単位シート基板ごとに設定された各配線パターンの基準抵抗値を基準として、測定された評価単位シート基板内の各単位基板の各配線パターンの測定抵抗値のずれ度合いが算出される。そのため、その測定抵抗値のずれ度合いに基づいて配線パターンの抵抗値のバラツキ等を適切に評価することができ、配線パターンの導通検査の適切な判定基準値を決定することができる。その結果、的確な導通検査を実行できる。
【００１９】
また、評価単位シート基板を評価単位として配線パターンの測定抵抗値のずれ度合いを評価できるため、評価単位シート基板内の各位置における配線パターンの測定抵抗値のずれ度合いを評価できる。その結果、評価単位シート基板の一部で配線パターンの厚みが設計値よりも薄くなり抵抗値が高くなる傾向があるなどのシート基板の製造工程の特性の把握又は評価を行える。
【００２０】
基板検査装置の上記第２の局面によれば、評価単位シート基板内の各位置における配線パターンの測定抵抗値のずれ度合いが検出されるため、その検出結果に基づき、シート基板の一部で配線パターンの厚みが設計値よりも薄くなり抵抗値が高くなる傾向があるなどのシート基板の製造工程の特性の把握又は評価を行える。
【００２１】
基板検査装置の上記第３の局面によれば、評価単位シート基板内の各位置における配線パターンの測定抵抗値のずれ度合いが評価単位シート基板内の各位置の座標情報と関連付けて検出される。このため、評価単位シート基板内の各位置における配線パターンの測定抵抗値のずれ度合いの把握又は評価をより容易かつ的確に行える。
【００２２】
基板検査装置の上記第４の局面によれば、評価単位シート基板内における各単位基板内の配線パターンの測定抵抗値のずれ度合いが算出され、該単位基板の評価単位シート基板内での位置情報と関連付けられる。このため、評価単位シート基板内の各単位基板の位置における配線パターンの測定抵抗値のずれ度合いの把握又は評価をより容易かつ的確に行える。
【００２３】
基板検査装置の上記第５の局面によれば、検出した評価単位シート基板内の各位置における配線パターンの測定抵抗値のずれ度合いが所定の表示部に図式的に表示されるため、等高線表示などの表示形式を利用することにより、評価単位シート基板の各位置における測定抵抗値のずれ度合い、及びずれ度合いの分布の特性等を容易に把握できる。
【００２４】
基板検査装置の上記第６の局面によれば、導通判定部が、抵抗測定部が測定した評価単位シート基板内の各配線パターンの測定抵抗値、測定抵抗値の平均値である平均抵抗値、及び測定抵抗値評価部が算出した評価単位シート基板内の各配線パターンの測定抵抗値のずれ度合いのうちの少なくともいずれか１つに基づいて、各配線パターンに導通性に関する判定基準値を決定し、その判定基準に基づいて各配線パターンの導通性に関する良否判定を行う。そのため、配線パターンの抵抗値のバラツキ度等に応じた適切な導通検査の判定基準値を決定することができ、的確な導通検査を実行できる。
【００２５】
基板検査装置の上記第７の局面によれば、評価単位シート基板内における各配線パターンの測定抵抗値の平均値である平均抵抗値を基準抵抗値として各配線パターンの測定抵抗値のずれ度合いを評価できる。
【００２６】
基板検査装置の上記第８の局面によれば、評価単位シート基板内における各配線パターンの測定抵抗値の偏差、偏差値又は標準偏差を用いて各配線パターンの測定抵抗値のずれ度合い、又はバラツキ度合い等を評価できる。偏差又は偏差値は、各配線パターンの測定抵抗値の平均抵抗値からのずれ度合い等を評価するのに便利であり、標準偏差は評価単位シート基板内の各単位基板の対応する（あるいは、同種類の）配線パターンの測定抵抗値全体のバラツキ度合い等を評価するのに便利である。
【００２７】
基板検査装置の上記第９の局面によれば、評価単位シート基板内における各配線パターンの抵抗値の設計理論値を基準抵抗値として各配線パターンの測定抵抗値のずれ度合いを評価できる。
【００２８】
基板検査装置の上記第１０の局面によれば、評価単位シート基板内における各配線パターンの基準抵抗値と測定抵抗値との差を用いて各配線パターンの測定抵抗値のずれ度合い等を評価できる。
【００２９】
基板検査装置の上記第１１の局面によれば、４端子測定法により配線パターンの抵抗値を正確に測定するとともに、測定した抵抗値の基準抵抗値を基準としたずれ度合いを正確に評価できる。その結果、配線パターンの導通検査の適切な判定基準値を決定することができ、的確な導通検査を実行できる。
【図面の簡単な説明】
【００３０】
【図１】本発明の一実施形態に係る基板検査装置のブロック図である。
【図２】図１の基板検査装置の基板保持機構、及び第１及び第２検査治具等の構成を示す図である。
【図３】分割される前のシート基板である大版基板の構成を示す図である。
【図４】図３の大版基板が分割されてなるシート基板の構成を示す図である。
【図５】図１の基板検査装置により配線パターンの抵抗値を測定する際の回路構成を説明するための図である。
【図６】図１の基板検査装置により測定された評価単位シート基板内の各配線パターンの測定抵抗値、基準抵抗値及び測定抵抗値のずれ度合い（差分値）等を例示する図である。
【図７】評価単位シート基板内の各単位基板に設けられた配線パターンを抵抗値の設計理論値の小さい順に順序付けしたときの各配線パターンの測定抵抗値をグラフにした図である。
【図８】評価単位シート基板内の各位置における配線パターンの測定抵抗値のずれ度合いを表示部に図式的に表示した表示例を示す図である。
【図９】図１の基板検査装置の動作手順を示す図である。
【発明を実施するための形態】
【００３１】
図１及び図２を参照して、本発明の一実施形態に係る基板検査装置１の構成について説明する。この基板検査装置１は、図１及び図２に示すように、制御部１１、基板保持機構１２、プローブユニットとしての第１及び第２検査治具１３，１４、第１及び第２検査治具昇降機構１５，１６、抵抗測定部１７、表示部１８及び操作部１９を備えて構成される。この基板検査装置１によって、複数の配線パターン２がそれぞれ形成された複数の単位基板３が連なってなるシート基板４に対して、シート基板４内の単位基板３の各配線パターン２の導通性に関する評価及び検査が行われる。
【００３２】
ここで、図３は分割される前のシート基板である大版基板５の構成を示す図であり、この大版基板５からは分割により複数（例えば、４枚）のシート基板４が得られる。また、そのシート基板４からは、図４に示すように、分割により複数の単位基板３が得られる。例えば、図３に図示されたシート基板４では２５枚の単位基板３が５行５列で連なっている。単位基板３に形成された各配線パターン２の抵抗値の測定及び導通検査は、複数の単位基板３が連なったシート基板４（例えば、図４に示すシート基板４）の状態で行われる。各単位基板３は、複数の配線パターン２が形成され、互いに同様な構成を有している。なお、本実施形態では、各配線パターン２の抵抗値の測定及び導通検査が、大版基板５を複数に分割して得られるシート基板４の状態で行われるが、抵抗値の測定及び導通検査を分割される前の大版基板５の状態で行うようにしてもよい。
【００３３】
基板検査装置１の制御部１１は、ＣＰＵ及び記憶装置等を備えて構成され、図１に示すように、基板取扱処理部１１１、抵抗測定処理部１１２、測定抵抗値評価部１１３及び導通判定部１１４を備えている。制御部１１のこれらの機能要素の役割及び動作については後述する。
【００３４】
基板保持機構１２は、図１及び図２に示すように、基板保持部１２１及びＸＹ駆動機構１２２を備えている。基板保持部１２１は、シート基板４を保持する。ＸＹ駆動機構１２２は、後述する制御部１１の基板取扱処理部１１１の制御により、基板保持部１２１をＸ軸方向及びＹ軸方向に駆動することにより、保持されたシート基板４と後述する第１及び第２検査治具１３，１４との位置関係を調整する。
【００３５】
第１及び第２検査治具１３，１４は、図５に示す複数のプローブ２０と、プローブ２０を保持する治具本体１３１，１４１とを備えている。複数のプローブ２０は、シート基板４内の１又は複数の単位基板３に設けられた配線パターン２上の各測定位置Ｐ１，Ｐ２（図５参照）に対応して配置されている。プローブ２０の先端は、治具本体１３１，１４１のシート基板４との対向面１３１ａ，１４１ａから所定の突出高さで突出されている。このため、第１及び第２検査治具１３，１４が後述する第１及び第２検査治具昇降機構１５，１６によってシート基板４に近接されて当接されたとき、第１及び第２検査治具１３，１４の各プローブ２０の先端が、シート基板４内の単位基板３の対応する各配線パターン２上の所定位置に当接して導通する。第１検査治具１３はシート基板４の上面側に当接され、第２検査治具１４はシート基板４の下面側に当接される。
【００３６】
第１及び２検査治具１３，１４のシート基板４への一度の当接動作によりシート基板４内のすべての単位基板４がカバーできない場合は、基板保持機構１２のＸＹ駆動機構１２２によりシート基板４を順次移動させて、第１及び第２検査治具１３，１４の当接動作を繰り返すことにより、シート基板４内のすべての単位基板４に対する配線パターン２の抵抗値の測定及び導通検査が行われる。
【００３７】
また、本実施形態では、図５に示すように、４端子測定法により配線パターン２の抵抗値を測定するため、第１及び第２検査治具１３，１４のプローブ２０は、シート基板４内における１又は複数の単位基板３内の配線パターン２上に設定された２つの測定位置Ｐ１，Ｐ２ごとに２つずつ設けられている。そして、その２つのプローブ２０のうちの一方のプローブ２０ａが配線パターン２への検査用の電流の供給及び電流値の測定のために用いられ、他方のプローブ２０ｂが配線パターン２の測定位置Ｐ１，Ｐ２間の電位差の測定のために用いられる。
【００３８】
第１及び第２検査治具昇降機構１５，１６は、基板保持機構１２によって保持されたシート基板４の上側及び下側において、図２の矢印Ａ１，Ａ２で示すように第１及び第２検査治具１３，１４をそれぞれ昇降可能に保持するとともに、抵抗測定処理部１１２の制御により、第１及び第２検査治具１３，１４を上下に昇降駆動する。
【００３９】
抵抗測定部１７は、電流供給測定部１７１、電位差測定部１７２及びスイッチングユニット１７３を備えている。電流供給測定部１７１及び電位差測定部１７２は、図５に示すように、スイッチングユニット１７３を介して配線により第１及び第２検査治具１３，１４の各プローブ２０と電気的に接続可能となっている。スイッチングユニット１７３は、図示しない複数のスイッチング素子を備えて構成され、抵抗測定処理部１１２の制御により、電流供給測定部１７１及び電位差測定部１７２と第１及び第２検査治具１３，１４の各プローブ２０との接続のオンオフ及び接続関係の切り替えを行う。
【００４０】
電流供給測定部１７１は、抵抗測定処理部１１２の制御により、スイッチングユニット１７３及び第１及び第２検査治具１３，１４のプローブ２０を介して、シート基板４内における１又は複数の単位基板４内の各配線パターン２の測定位置Ｐ１，Ｐ２間に検査用の電流を供給するとともに、そのときに各配線パターン２の測定位置Ｐ１，Ｐ２間に流れる電流値を測定する。
【００４１】
電位差測定部１７２は、抵抗測定処理部１１２の制御により、スイッチングユニット１７３及び第１及び第２検査治具１３，１４のプローブ２０を介して、シート基板４内における１又は複数の単位基板４内の各配線パターン２の測定位置Ｐ１，Ｐ２間の電位差を測定する。
【００４２】
表示部１８は、測定抵抗値評価部１１３及び導通判定部１１４の制御により、各配線パターン２の抵抗値の測定結果、各単位基板３の導通検査の検査結果等を表示する。操作部１９は、この基板検査装置１に対する操作を受け付ける。
【００４３】
制御部１１の基板取扱処理部１１１は、基板保持機構１２等を制御し、シート基板４の移送、及び配線パターン２の抵抗値測定時の位置調節等を行う。
【００４４】
抵抗測定処理部１２２は、第１及び第２検査治具昇降機構１５，１６、及び抵抗測定部１７の電流供給測定部１７１、電位差測定部１７２及びスイッチングユニット１７３を制御し、基板保持機構１２により保持されたシート基板４内における各単位基板３の各配線パターン２の測定位置Ｐ１，Ｐ２間の抵抗値を測定する。抵抗値の測定は、電流供給測定部１７１及び電位差測定部１７２がそれぞれ測定した各配線パターン２の測定位置Ｐ１，Ｐ２間に流れる電流値及び測定位置Ｐ１，Ｐ２間の電位差値に基づき、抵抗測定処理部１１３によって算出される。具体的には、測定された電位差値を測定された電流値で割り算することにより抵抗値が算出される。
【００４５】
測定抵抗値評価部１１３は、評価単位となるシート基板４である評価単位シート基板４（例えば、図４のシート基板４）内の各配線パターン２について設定された基準抵抗値を基準として、抵抗測定処理部１２２によって測定されたシート基板４内の各単位基板３の各配線パターン２の測定抵抗値のずれ度合いを算出する。評価単位シート基板４は、複数の単位基板３が連なってなるシート基板４であれば任意のシート基板４が設定されてもよい。例えば、本実施形態のように配線パターン２の抵抗値の測定が行われるシート基板４がより大きなシート基板４を分割して得られたものである場合、より大きなシート基板４（例えば、図３の大版基板５）を評価単位シート基板４として設定してもよい。本実施形態では、基板保持機構１２によって保持されるシート基板４を評価単位シート基板４としているが、基板保持機構１２によって保持されるシート基板４よりも大きなシート基板４（例えば、大版基板５）を評価単位シート基板４としてもよい。
【００４６】
測定抵抗値のずれ度合いの算出基準となる基準抵抗値は、１つの単位基板３内に設けられる各配線パターン２に対応して設定される。なお、単位基板３内に同一設計形状を有する同一種類の配線パターン２が複数存在する場合には、同一種類の配線パターン２については基準抵抗値を共通化し、基準抵抗値を単位基板３内に設けられる配線パターン２の種類の数の分だけ設定してもよい。すなわち、抵抗基準値は、１つの評価単位シート基板４に対して単位基板３内に設けられる配線パターン２の数だけ（あるいは、単位基板３内に設けられる配線パターン２の種類の数だけ）設定される。また、このような抵抗基準値のセットは各評価単位シート基板４ごとに異なったセットが設定されてもよいし、複数の評価単位シート基板４に対して同じセットの抵抗基準値が設定されてもよい。
【００４７】
基準抵抗値としては、本実施形態では評価単位シート基板４内の各単位基板３の互いに対応する配線パターン２の測定抵抗値を平均した平均抵抗値が設定される。各単位基板３内に同一種類の配線パターン２が複数設けられている場合には、同一種類の配線パターン２の測定抵抗値を足し合わせて得られる平均抵抗値を基準抵抗値としてもよい。変形例として、評価単位シート基板４内の単位基板３に設けられる各配線パターン２の設計上の理論抵抗値である設計理論値を基準抵抗値として設定してもよい。
【００４８】
判定抵抗値評価部１１３が算出する各配線パターン２の測定抵抗値のずれ度合いとして、例えば、評価単位シート基板４内の平均測定抵抗値や設計理論抵抗値を基準とした各配線パターン２の偏差、偏差値又は標準偏差が算出される。各配線パターン２の偏差、偏差値又は標準偏差の算出には、対応する平均抵抗値が用いられる。偏差又は偏差値は、各配線パターン２の測定抵抗値の平均抵抗値や設計理論抵抗値からのずれ度合い等を評価するのに便利であり、標準偏差は評価単位シート基板４内の各単位基板２の対応する（あるいは、同種類の）配線パターン２の測定抵抗値全体のバラツキ度合い等を評価するのに便利である。また、変形例として、基準抵抗値として各配線パターン２の設計理論値が設定されている場合には、各配線パターン２の測定抵抗値のずれ度合いとして、設計理論値と測定抵抗値との差を算出してもよい。
【００４９】
図６を参照して具体的に説明する。図６に示す例では、予め登録された基板識別情報及び配線識別情報を用いて評価単位シート基板４内の各単位基板３及び配線パターン２の識別及び位置の特定等が行われている。具体的には、評価単位シート基板４内の各単位基板３に基板識別番号として基板番号（例えば、１，２，３，・・・など）が付与され、各単位基板３内の配線パターン２には配線識別番号としてネット番号（例えば、１，２，３，・・・など）が付与されている。なお、より大きなシート基板４（例えば、大版基板５）内における各単位基板３の識別及び位置の特定等を行う場合には、その大きなシート基板４内における各単位基板３の基板識別情報を設定するか、あるいは、大きなシート基板４内に含まれる各小さなシート基板４のシート基板識別情報（例えば、シート基板番号等）を追加設定するとよい。
【００５０】
また、評価基準となる平均抵抗値の算出は、評価単位シート基板４内にある各単位基板３の同一ネット番号のすべての配線パターン２の測定抵抗値を合計し、平均することにより行われる。この場合、平均抵抗値は単位基板３内の配線パターン２と同じ数だけ設定される。あるいは、各単位基板３内に同一種類の配線パターン２が複数存在する場合には、同一種類の配線パターン２の測定抵抗値を合計して平均することにより平均抵抗値を算出してもよい。この場合、平均抵抗値は単位基板３内の配線パターン２の種類の数だけ設定される。図６の例では、各配線パターン２の測定抵抗値の基準抵抗値からのずれ度合いとして、差分値が算出されている。
【００５１】
ここで、図７は評価単位シート基板４内の各単位基板３に設けられた配線パターン２を抵抗値の設計理論値の小さい順に順序付けしたときの各配線パターンの測定抵抗値をグラフにした図である。図７のグラフの横軸は配線パターン２に対する各単位基板３内での順番に対応し、縦軸は各順番に対応する配線パターン２の測定抵抗値に対応している。また、図７のグラフＧ１（実線のグラフ）は評価単位シート基板４内の基板番号１の配線パターン２に関するものであり、グラフＧ２（鎖線のグラフ）は同じく基板番号２の配線パターン２に関するものである。図７では図示の便宜のため、基板番号１，２の２つの単位基板３の配線パターン２に関するグラフＧ１，Ｇ２のみしか記載していないが、実際には評価単位シート基板４内のすべての単位基板３について測定抵抗値がグラフ化される。また、図７中の矢印Ａ１はグラフＧ１における測定抵抗値が異常に大きくなっている部分を示しており、配線パターン２に何らかの異常があると考えられる。測定抵抗値評価部１１３は、単位評価シート基板４内の各単位基板３の各配線パターン２の測定抵抗値に基づいて図７に示すグラフＧ１，Ｇ２を算出し、そのグラフＧ１，Ｇ２を表示部１８に表示させるようにしてもよい。
【００５２】
なお、図７のようなグラフ表示を行うことにより、評価単位シート基板４内での単位基板３の位置によるずれ度合いを理解することができる。このため、評価単位シート基板４内の全ての単位基板３を表示することにより、単位基板３の位置におけるずれ度合いを反映させて、判定基準抵抗値を設定することができる。
【００５３】
また、測定抵抗値評価部１１３は、上記の各配線パターン２の測定抵抗値のずれ度合いの算出結果に基づいて、評価単位シート基板４内の各位置における配線パターン２の測定抵抗値のずれ度合い（平均抵抗値を基準とした偏差又は偏差値、又は設計理論値との差）を、評価単位シート基板４上の位置情報と関連付けて検出し、その検出結果を表示部１８に図式的に表示させる。評価単位シート基板４内の各位置の測定抵抗値のずれ度合いの検出は、種々の形態が採用可能である。例えば、評価単位シート基板４内における各単位基板３の予め選定した１又は複数の配線パターン２の測定抵抗値の基準抵抗値からのずれ度合いを用いて、評価単位シート基板４内の各位置の測定抵抗値のずれ度合いを検出してもよい。あるいは、評価単位シート基板４内における各単位基板３内の予め設定した複数の配線パターン２（あるいは、各単位基板３内のすべての配線パターン２）の測定抵抗値のずれ度合いの平均値を算出し、その各単位基板３ごとに得られるずれ度合いの平均値を用いて、評価単位シート基板４内の各位置の測定抵抗値のずれ度合いを検出してもよい。評価単位シート基板４内における各配線パターン２の位置又は各単位基板３の位置は、上述の配線識別情報及び基板識別情報等に基づいて得られる。
【００５４】
測定抵抗値評価部１１３が関連付けを行う位置情報は、評価単位シート基板４上での位置情報を利用することができる。この位置情報は、測定された配線パターン２の評価単位シート基板４上でのＸＹ座標情報や、評価単位シート基板４上での単位基板の位置情報が利用される。
【００５５】
測定抵抗値評価部１１３は、各配線パターン２の測定抵抗値のずれ度合いを位置情報を関連付けて検出するが、単位基板３を単位としてその単位基板３内に属する配線パターン２の測定抵抗値のずれ度合いを算出し、その算出したずれ度合いに単位基板３の位置情報を関連付けることもできる。この場合、単位基板３のずれ度合いは、この単位基板３の各配線パターン３の測定抵抗値の基準抵抗値からのずれ度合いを算出し、単位基板３としてのずれ度合い（例えば、ずれ度合いの平均値や偏差など）を算出する。また、この場合の位置情報は、評価単位シート基板４内における単位基板３の位置情報を利用することができ、例えば、評価単位シート基板４上での縦横何番目の単位基板であるという位置情報や評価単位シート基板４上でのＸＹ座標情報という位置情報を利用することができる。
【００５６】
また、評価単位シート基板４内の各位置における測定抵抗値のずれ度合いの表示の形態としては、種々の構成が可能である。例えば、図８に示すように、評価単位シート基板４の範囲を示す画像領域１８１内に、地形図の等高線のように測定抵抗値のずれ度合いが同じ地点を線（ずれ度合いの等高線）１８２〜１８４で結んだ構成が採用可能である。あるいは、ずれ度合いの値の範囲をいくつかのレンジに分け、各レンジを異なる色で画像領域１８１内を色分け表示してもよい。あるいは、評価単位シート基板４内の位置をＸＹ座標を用いて表し、評価単位シート基板４内の各位置の測定抵抗値のずれ度合いをＺ座標を用いて表して図示的な表示画像を形成してもよい。
【００５７】
導通判定部１１４は、抵抗測定部１７が測定した評価単位シート基板４内の各配線パターン２の測定抵抗値、測定抵抗値評価部１１３が算出した各配線パターン２の平均抵抗値、及び測定抵抗値評価部１１３が算出した評価単位シート基板４内の各配線パターン２の測定抵抗値のずれ度合いのうちの少なくともいずれか１つに基づいて、各配線パターン２に導通性に関する判定基準値を決定する。そして、導通判定部１１４は、各配線パターン２の測定抵抗値と判定基準値とを比較することにより評価単位シート基板４内の各配線パターン２の良否判定を行う。例えば、判定基準値として許容上限抵抗値を設け、測定抵抗値が許容上限抵抗値以下の配線パターン２については良好と判定し、測定抵抗値が許容上限抵抗値を上回っている配線パターン２及びその配線パターン２が属する単位基板３については不良と判定する。変形例として、判定基準値として許容下限抵抗値を追加的に導入し、抵抗値が許容下限抵抗値を下回っている配線パターン２及びその配線パターン２が属する単位基板３を不良と判定するようにしてもよい。
【００５８】
ここで、上記の判定基準値は、例えば評価単位シート基板４内における各単位基板３内の各配線パターン２に対して設けられる。この場合、判定基準値は１つの評価単位シート４について、各単位基板３内の配線パターン２の数と同じ数だけ設定される。あるいは、変形例として、各単位基板３内に同一種類の配線パターン２が複数設けられている場合には、同一種類の配線パターン２について判定基準値を共通化してもよい。この場合、判定基準値は１つの評価単位シート４について、各単位基板３内の配線パターン２の種類の数と同じ数だけ設定される。
【００５９】
また、判定基準値の具体的な決定方法としては、例えば、評価単位シート基板４内の各配線パターン２の測定抵抗値の平均値である平均抵抗値に所定の係数（例えば、許容上限抵抗値の場合は１．２又は１．３、許容下限抵抗値の場合は０．８又は０．７等）を掛けることにより判定基準値が得られる。あるいは、測定抵抗値評価部１１３が算出した各配線パターン２の測定抵抗値の偏差値の分布に基づき、偏差値が所定の閾値レベル（例えば、許容上限レベル）に対応する抵抗値を判定基準値（例えば、許容上限抵抗値）としてもよい。あるいは、抵抗測定部１７が測定した各配線パターン２の測定抵抗値に基づき、評価単位シート基板４内に含まれるすべての配線パターン２（又は、単位基板３）の所定の割合の配線パターン２（又は、単位基板３）が良好と判定されるように、判定基準値を設定してもよい。
【００６０】
特に本発明は、単位基板３の配線パターン２の測定抵抗値のずれ度合いを基に、評価単位シート基板４単位での基準抵抗値からのずれが算出できることになる。このため、評価単位シート基板４ごとに検査する場合には、評価単位シート基板４に形成される単位基板３の位置情報に応じて、判定基準抵抗値を補正しながら、検査することができる。このため、４端子測定のような精度の高い測定方法を用いて検査する場合に、判定基準抵抗値を補正して更なる正確な検査を行うことができるようになる。
【００６１】
上記のように決定された判定基準抵抗値を、その判定基準抵抗値の決定に用いられた配線パターン２が属する評価単位シート基板４内の各単位基板３の良否判定の基準として言わばリアルタイムに用いるようにしてもよいし、あるいは、次の（あるいは、次以降の）評価単位シート基板４内の各単位基板３の良否判定の基準として用いるようにしてもよい。前者の場合、まず検査対象の評価単位シート基板４内の各単位基板３の各配線パターン２の抵抗値の測定及びその測定抵抗値の基準抵抗値からのずれ度合いの算出が行われる。続いて、その結果に基づいて各配線パターン２の判定基準抵抗値が決定され、その決定された各配線パターン２の判定基準抵抗値と測定抵抗値とに基づいて、評価単位シート基板４内の各単位基板３の配線パターン２の良否判定が行われる。
【００６２】
本発明は、予め初期設定された判定基準抵抗値を、単位基板３の配線パターン２の実際に測定した測定値（ずれ度合い）を利用して算出した新たなる判定基準抵抗値に置き換え、その新たなる判定基準抵抗値を利用して良否判定を行うことができる。このため、製造工程での影響を受けた判定基準抵抗値を設定することができる。また、この判定基準抵抗値は、単位基板３の評価単位シート基板４の位置に応じて設定されることができるので、更なる精度の高い判定基準抵抗値を設定することができる。
【００６３】
次に、図９を参照して、基板検査装置１の動作手順について説明する。図８に示すように、ステップＳ１では、図示しない基板搬送機構等により送り込まれたシート基板４の基板保持機構１２への受け入れ等が行われる。ステップＳ２では、基板保持機構１２によってシート基板４内の測定対象部位が第１及び第２検査治具１３，１４に対向する位置に順次移動されつつ、第１及び第２検査治具昇降機構１５，１６により第１及び第２検査治具１３，１４がシート基板４内の測定対象部位に接触、離反され、シート基板４内の各単位基板３の各配線パターンの抵抗値が測定される。
【００６４】
ステップＳ３では、測定抵抗値評価部１１３により、上述の如く、評価単位となるシート基板４である評価単位シート基板４（例えば、図４のシート基板４）内の各配線パターン２について設定された基準抵抗値を基準として、抵抗測定処理部１２２によって測定されたシート基板４内の各単位基板３の各配線パターン２の測定抵抗値のずれ度合いが算出される。このステップＳ３、あるいはそれ以降のステップにおいて、例えば操作部１９を介して入力された表示指令に応答して、測定抵抗値評価部１１３に、シート基板４内の各単位基板３の各配線パターン２の測定抵抗値のずれ度合いを表示部１８に図式的に表示させるようにしてもよい。
【００６５】
ステップＳ４では、導通判定部１１４により、上述の如く、評価単位シート基板４内の各配線パターン２に導通性に関する判定基準値が決定され、各配線パターン２の測定抵抗値と判定基準値とを比較することにより評価単位シート基板４内の各配線パターン２の良否判定が行われる。ステップＳ５では、図示しない基板搬送機構等によりシート基板４が基板保持機構１２外に送出される。
【００６６】
以上のように、本実施形態に係る基板検査装置１によれば、評価単位となる評価単位シート基板４ごとに設定された各配線パターン２の基準抵抗値のセットを基準として、測定された評価単位シート基板４内の各単位基板３の各配線パターン２の測定抵抗値のずれ度合いが算出される。そのため、その測定抵抗値のずれ度合いに基づいて配線パターン２の抵抗値のバラツキ等を適切に評価することができ、配線パターン２の導通検査の適切な判定基準値を決定することができる。その結果、的確な導通検査を実行できる。
【００６７】
また、評価単位シート基板４を評価単位として配線パターンの測定抵抗値のずれ度合いを評価できるため、評価単位シート基板４内の各位置における配線パターン２の測定抵抗値のずれ度合いを評価できる。その結果、シート基板４（例えば、大版基板５）の一部で配線パターン２の厚みが設計値よりも薄くなり抵抗値が高くなる傾向があるなどのシート基板４の製造工程の特性の把握又は修正を行える。
【００６８】
また、検出した評価単位シート基板４内の各位置における配線パターン２の測定抵抗値のずれ度合いが表示部１８に図式的に表示されるため、その表示内容に基づいて、評価単位シート基板４（例えば、大版基板５）の各位置における測定抵抗値のずれ度合い、及びずれ度合いの分布の特性等を容易に把握できる。
【００６９】
また、導通判定部１１４が、抵抗測定部１７が測定した評価単位シート基板４内の各配線パターン２の測定抵抗値、測定抵抗値評価部１１３が算出した各配線パターン２の測定抵抗値の平均値である平均抵抗値、及び測定抵抗値評価部が算出した評価単位シート基板４内の各配線パターン２の測定抵抗値のずれ度合いのうちの少なくともいずれか１つに基づいて、各配線パターン２に導通性に関する判定基準値を決定し、その判定基準に基づいて各配線パターン２の導通性に関する良否判定を行う。そのため、配線パターン２の抵抗値のバラツキ度等に応じた適切な導通検査の判定基準値を決定することができ、的確な導通検査を実行できる。
【００７０】
また、４端子測定法により配線パターン２の抵抗値を正確に測定するとともに、測定した抵抗値の基準抵抗値を基準としたずれ度合いを正確に評価できる。その結果、配線パターン２の導通検査の適切な判定基準値を決定することができ、的確な導通検査を実行できる。
【符号の説明】
【００７１】
１  基板検査装置、２  配線パターン、３  単位基板、４  シート基板、５  大版基板、１１  制御部、１１１  基板取扱処理部、１１２  抵抗測定処理部、１１３  測定抵抗値評価部、１１４  導通判定部、１２  基板保持機構、１２１  基板保持部、１２２  ＸＹ駆動機構、１３  第１検査治具、１４  第２検査治具、１５  第１検査治昇降機構、１６  第２検査治具昇降機構、１７  抵抗測定部、１７１  電流供給測定部、１７２  電位差測定部、１７３  スイッチングユニット、１８  表示部、１９  操作部、Ｐ１，Ｐ２  測定位置。
【図１】
2013024582.tif 000003
【図２】
2013024582.tif 000004
【図３】
2013024582.tif 000005
【図４】
2013024582.tif 000006
【図５】
2013024582.tif 000007
【図６】
2013024582.tif 000008
【図７】
2013024582.tif 000009
【図８】
2013024582.tif 000010
【図９】
2013024582.tif 000011